(57)【特許請求の範囲】
【請求項１】
ベルトの中央部を被包する表皮を縫着して把持部を形成し、
前記ベルトの両端部を前記中央部には重ならないようにそれぞれ折り返して、重ね合せたベルトの先端部をさらに折り返して縫着して形成した小環形部に、ベルトの折り返し部の長さを調節可能とする移動カンを装着するとともに中間環状体を回動可能に装着し、移動カン装着により前記ベルトの両端部にできた大環形部には鞄接続用環状体をそれぞれ回動可能に装着し、前記ベルトの把持部の両端部に外装カバー用留め具を配設した鞄用ベルトであって、
鞄用ベルトは外装カバーを含み、左右方向両端部中央部に鞄用ベルト用留め具を配設し、上端部又は下端部の両端部に鞄接続用環状体拘束手段を配設し、上下方向で折り畳んで筒状態にしたときの状態維持のための筒状維持用留め具を上下端に配設した、平面状の可撓性を有するシートを構成要素とする外装カバーで、
鞄用ベルトに装着した中間環状体を前記把持部の左右方向の範囲からはみ出させるようにして、かつ鞄接続用環状体が把持部に重なるようにして折り畳んだ鞄用ベルトを、前記把持部とともに前記外装カバーが筒状になるように被包して、
被包して筒状になった外装カバーの上下端の筒状維持用留め具を係着又は掛着するとともに、
前記外装カバーの両端部の鞄用ベルト用留め具と把持部の両端部の外装カバー用留め具とを係着又は掛着させ、鞄用ベルトの鞄接続用環状体を前記外装カバーの鞄接続用環状体拘束手段に係着又は掛着したことを特徴とする鞄用ベルト。
【請求項２】
前記表皮が、前記ベルトよりも幅広の形態を有し、かつ可撓性を有することを特徴とする請求項１に記載の鞄用ベルト。
【請求項３】
前記ベルトがアラミド繊維を含む繊維からなることを特徴とする請求項１又は２に記載の鞄用ベルト。
【請求項４】
請求項１乃至３のいずれかに記載の外装カバーを含む鞄用ベルト、並びに、上部両端に突設させて配設した断面逆Ｕ字型の取付部及び前記取付部に回動可能に装着させたナスカンを備えた鞄本体、及び／又は、風呂敷状のシートと、
からなることを特徴とする鞄。
【発明の詳細な説明】
【技術分野】
【０００１】
本発明は、複数の用途を有する鞄用ベルト、及びその鞄用ベルトを備えた鞄に関する。
【背景技術】
【０００２】
複数の用途を有する鞄に関する技術としては、一つの鞄用ベルトで、手提げ状態、肘掛け状態、肩掛け状態、そして腕を通しての斜め掛け状態、前抱え状態、背負い状態での使い分けができることを目的として、腕径よりも大径かつ柔軟な輪形に形成された第一紐部と、腕径よりも大径かつ柔軟な輪形に形成された第二紐部とを備え、前記第一紐部及び前記第二紐部が互いに相対移動可能に接続された鞄紐と、前記第一紐部及び前記第二紐部とそれぞれ接続された鞄本体とを備えた鞄の技術が開示されている（特許文献１参照）。
【先行技術文献】
【特許文献】
【０００３】
【特許文献１】特開２００９−１３６６６８号公報
【発明の概要】
【発明が解決しようとする課題】
【０００４】
しかし、特許文献１に記載の発明は、第一紐部、第二紐部及び第三ナスカンを装着した輪形の結合部である第三の紐部の三つの輪から成り立った鞄紐であるので、第一と第二の紐部との中間に位置する第三の紐部が、鞄を肩掛け状態で使用するときには、肩に接することになる。すると、第一紐部、第二紐部及びそれらの中間に位置する第三の紐部は、段落［００２７］第１行目及び段落［００２８］第１行目に記載されているように、いずれの紐部は帯状であるので、肩に掛けたときに第一紐部と第三の紐部、第二紐部と第三の紐部とが同一平面で真っ直ぐにならないため、真っ直ぐにしようとしたら捩れが生じることから肩に掛けにくく身体にフィットしにくいという問題があった。
【０００５】
また、紐部を手提げ状態で使用するときは、段落［００３３］第４行目に「第一紐部６Ａは、鞄本体２内に収納しておく」と記載されているように、紐部を短くする場合は帯状の紐を鞄内に収納するので鞄内の収容可能な容積が縮小化される。このために、物が鞄本来の容積まで収納できないという問題があった。
【０００６】
そして、鞄を身につけるときの形態としては、ハンドバックのように手に持つ形態、ショルダーバックのように肩にかける形態、ポシェットのようにたすき掛けする形態、ウエストポーチのように腰につける形態などの形態があり、鞄を携帯する目的によって又は鞄に収納する物の量や大きさによって適した使用形態をしたいのに、同じ鞄で多目的に変化させることができないという問題があった。
【０００７】
また、鞄に収納する物が重たい場合には、肩に載せる鞄用ベルトの幅が狭いほど鞄用ベルトが肩に食い込み、長時間は肩に掛けられないという問題があった。
【０００８】
さらに、海外旅行中などで人ごみが多い中を歩行するときに、購入した直後の高級ブランド品の包装袋を鞄で隠すことができないので、高級ブランド品がスリに遭いやすいという問題があった。
【０００９】
さらに、例えば、海外旅行で列車に乗車しているときでスーツケースを座席より離れた場所に置かなければならないときには、座っている座席から自分のスーツケースが見えないので、盗難に遭うのではないかという心配をぬぐい去ることができないという問題があった。また、一人で旅行をしているときにスーツケースなどの鞄を一時的に床や椅子などの上に置く状況になった場合で、第三者から話しかけられてついよそ見をしたとき、又は短時間であるが鞄を置いて離れたときなどに、簡単に持ち逃げされ盗難に遭う危険性が高いという問題があった。
【００１０】
したがって、本発明の目的は、肩にかける鞄、手に持つ鞄、腹部につける鞄に容易に変えて使用することができ、鞄に収納する物が増えたときや鞄より大きな物を収納しなければならないときに同じ鞄用ベルトや鞄を利用することができ、鞄用ベルトを短縮するときでもベルトの一部を鞄内に入れ込むことがなく、第三者に鞄で高級ブランド品の包装袋を隠すことができ、離れた箇所に保管するスーツケース等の大きい鞄と構造物とを緊縛できる鞄用ベルト及びその鞄用ベルトを備えた鞄を提供することである。
【課題を解決するための手段】
【００１１】
本発明において、「環状体」とは、Ｄカン、丸カン又は四角形状カンなどの輪状カンを意味する。
【００１２】
「発明が解決しようとする課題」に記載した課題を解決するために、請求項１に記載の鞄用ベルト１は、ベルト３の中央部を被包する表皮１２を縫着して把持部１１を形成し、前記ベルト３の両端部を前記中央部には重ならないようにそれぞれ折り返して、重ね合せたベルト３の先端部をさらに折り返して縫着して形成した小環形部１３に、ベルト３の折り返し部の長さを調節可能とする移動カン２０を装着するとともに中間環状体２１を回動可能に装着し、移動カン２０装着により前記ベルト３の両端部にできた大環形部１４には鞄接続用環状体２２をそれぞれ回動可能に装着し、前記ベルト３の把持部１１の両端部に外装カバー用留め具２５を配設した鞄用ベルト１であって、鞄用ベルト１は外装カバー５を含み、左右方向両端部中央部に鞄用ベルト用留め具２９を配設し、上端部又は下端部の両端部に鞄接続用環状体拘束手段２８を配設し、上下方向で折り畳んで筒状態にしたときの状態維持のための筒状維持用留め具２６を上下端に配設した、平面状の可撓性を有するシートを構成要素とする外装カバー５で、鞄用ベルト１に装着した中間環状体２１を前記把持部１１の左右方向の範囲からはみ出させるようにして、かつ鞄接続用環状体２２が把持部１１に重なるようにして折り畳んだ鞄用ベルト１を、前記把持部１１とともに前記外装カバー５が筒状になるように被包して、被包して筒状になった外装カバー５の上下端の筒状維持用留め具２６を係着又は掛着するとともに、前記外装カバー５の両端部の鞄用ベルト用留め具２９と把持部１１の両端部の外装カバー用留め具２５とを係着又は掛着させ、鞄用ベルト１の鞄接続用環状体２２を前記外装カバー５の鞄接続用環状体拘束手段２８に係着又は掛着したことを特徴とする。
【００１３】
請求項２に記載の鞄用ベルト１は、請求項１において、前記表皮１２が、前記ベルト３よりも幅広の形態を有し、かつ可撓性を有することを特徴とする。
【００１４】
請求項３に記載の鞄用ベルト１は、請求項１又は２において、前記ベルト３がアラミド繊維を含む繊維からなることを特徴とする。
【００１５】
請求項４に記載の鞄２は、請求項１乃至３のいずれかに記載の外装カバーを含む鞄用ベルト１、並びに、上部両端に突設させて配設した断面逆Ｕ字型の取付部２３及び前記取付部２３に回動可能に装着させたナスカン２４を備えた鞄本体４、及び／又は、風呂敷状のシート１０と、からなることを特徴とする。
【発明の効果】
【００１６】
請求項１に記載の発明は、鞄本体４を係着又は掛着させる環状体２１、２２を鞄用ベルト１の端部と中間部の２箇所に装備したことによって、鞄用ベルト１の長さを移動カン２０で調整できるだけでなく、折り曲げてほぼ把持部１１の長さにまで短縮させることができ、鞄用ベルト１を折り曲げない状態又は折り曲げた状態であっても、鞄本体４を吊り下げることができる。これによって、鞄用ベルト１を長く調整した場合には、肩にかける鞄として、例えば把持部１１を肩にかけて鞄本体４を腰当りまで吊り下げてポシェットとして使用することができ、把持部１１の長さ程度に折りたたんで短く調整した場合には、手に持つ鞄として、例えば手提げバッグのようにして手提げ状態で使用でき、又は肩にかける鞄として、例えばショルダーバッグのように鞄本体４を肩にかけ鞄を脇に入れ上腕で挟んで使用することができる。
【００１７】
鞄用ベルト１の移動カン２０装着した個所に中間環状体２１を装着させており、鞄用ベルト１を長くした状態にしたときに鞄用ベルト１の中間に位置する中間環状体２１に風呂敷状のシート１０、ハンカチ、スカーフ又は携帯電話を結びつけることができる。したがって、２つの中間環状体２１に風呂敷状のシート１０の対角線上の角をそれぞれ結べば、鞄接続用環状体２２に係着又は掛着した鞄本体４の全体を風呂敷状のシート１０で覆うことができ、風呂敷状のシート１０でファッショナブルに見せることもできる。
【００１８】
また、鞄本体４を風呂敷状のシート１０で包むことから、バック・イン・バッグとして使用することができ、内側の鞄本体４への収納品と鞄本体４には収納しないが風呂敷状の袋体の内側に収納する物とを使い分けて使用することができ、大きい物を取り扱うときや、種類が多いので整理して収納したいときに利便性が高い。
【００１９】
また高級ブランド品の包装袋を隠すことができるので、混雑した人ごみの中を歩行するときなどで高級ブランド品がスリ等に狙われる危険性を軽減させることができ、安心して旅行や移動ができるという効果を奏する。
【００２０】
さらに、鞄用ベルト１に鞄本体４を使用せず風呂敷状のシート１０の対角線上の角をそれぞれ結べば、鞄本体４よりも収納量が多い場合や鞄本体４よりも収納物の大きさが大きい場合に大物入れ用のバッグとして使用することができる。
【００２１】
また、鞄用ベルト１の把持部１１と、折り返して２重に重ねた鞄用ベルト１とを、外装カバー５で被包することによって、鞄用ベルト１を折り曲げて重ねた把持部１１を一括りにして一体化することができ、把持部１１として肩にかけやすくし、手に持ちやすくすることができ、かつ把持部１１の外観を美しくさせることができる。
【００２２】
請求項２に記載の発明は、請求項１の効果を奏するとともに、鞄用ベルト１の把持部１１を被包する表皮１２を備えたことによって、鞄２を肩にかける場合には広い範囲で肩に当接するので肩が痛くなる心配を減少させることができ、またクッション性を具備して可撓性を有する材料であるので、鞄２を手に持つ場合には表皮１２を手で握れば容易に平面状の表皮１２が丸まって把持部１１を握りやすく持ちやすくすることができる。
【００２３】
請求項３に記載の発明は、請求項１又は２の効果を奏するとともに、一人で旅行をしているときにロック可能なスーツケース等の大きな鞄を、海外旅行中に列車に乗車するなどしてスーツケースを座席から見えない離れた場所に置かざるを得ないとき、一時的に床や椅子などの上に置く状況になった場合で、第三者から話しかけられてついよそ見をしたとき、又は短時間であるが大きな鞄を置いて離れたときなどに、鞄の取手と列車内の手すり等の固定物とを一本の鞄用ベルト１を通して輪状にして、前記鞄用ベルト１の両端部の鞄接続用環状体２２同士をカギ３０で拘束しておけば、鞄用ベルト１がナイフやハサミ等で容易には切断されない材質からできているので、簡単に持ち逃げされないし盗難に遭いにくいという効果を奏する。このように鞄用ベルトを鞄本体４から取り外したときは、鞄本体４はズボン、パンツ、スカート等のベルト通しに引っ掛けるウエストポーチとして使用するか、スーツケースに収納しておく。
【００２４】
請求項４に記載の発明は、請求項１乃至３のいずれかの効果を奏するとともに、鞄用ベルト１、鞄本体４、外装カバー５、風呂敷状のシート１０からなる鞄２として使用することができ、鞄用ベルト１、外装カバー５及び風呂敷状のシート１０を鞄本体４に収納することができる。
【００２５】
使用態様としては、第一に鞄用ベルト１のみで盗難防止用として使用でき、第二に鞄本体４のみでズボン、パンツ、スカート等のベルト通しに引っ掛けるウエストポーチとして使用でき、第三に長い状態の鞄用ベルト１と鞄本体４との組み合わせで肩にかける鞄としてポシェットとして使用でき、第四に長い状態の鞄用ベルト１と鞄本体４と風呂敷状のシート１０との組み合わせで鞄本体４を覆い隠したポシェットとして使用でき、第五に短い状態の鞄用ベルト１と外装カバー５と鞄本体４とで肩にかける鞄としてショルダーバッグとして使用でき、第六に短い状態の鞄用ベルト１と外装カバー５と鞄本体４とで手提げ鞄として使用でき、第七に鞄用ベルト１と風呂敷状のシート１０とでたすき掛けできるバッグとして使用でき、第八に短い状態の鞄用ベルト１と風呂敷状のシート１０とで手提げバッグとして使用できる。
【００２６】
鞄本体４のみにしたときの使用方法は、鞄本体４の左右上部に取り付けたナスカン２４をズボン、パンツ、スカート等のベルト通しに直接に吊着すれば、腹部につけたウエストポーチとして使用することができる。このような使用の場合は、自分の目で監視しやすく、さらに上着で前記ウエストポーチを覆えば第三者からウエストポーチが見えにくく直接にウエストポーチに第三者の手指が触れにくいことから、貴重品を収納するとき、又は人ごみが多い中を歩行するときに、スリに遭いにくいという効果を奏する。
【００２７】
身体に鞄用ベルト１を、たすき掛けした状態で使用して上着を羽織れば、鞄２を、胸部の内ポケットとしての役目を果たすことができ、貴重品を収納するバッグとしての役目を果たすことができる。
【００２８】
鞄用ベルト１、外装カバー５及び風呂敷状のシート１０を鞄本体４に収納することができるので、使用したい方法を、旅行中や外出中でおいていつでもどこにいても変えることができるという効果を奏する。
【図面の簡単な説明】
【００２９】
【図１】鞄用ベルトの平面概要図である。
【図２】鞄用ベルトの正面概要図である。
【図３】図１のＡ−Ａ断面における把持部の断面図である。
【図４】鞄用ベルトを盗難防止用として使用するときの使用形態を示す図である。
【図５】鞄用ベルトを長い状態で使用するときの使用形態を示す図である。
【図６】鞄用ベルトを短い状態で使用するときの使用形態を示す図である。
【図７】外装カバーの表面側の概要図である。
【図８】外装カバーの裏面側の概要図である。
【図９】外装カバーに鞄用ベルトを載置したときの説明図である。
【図１０】外装カバーに鞄用ベルトを載置して片方を折りたたんで鞄接続用環状体を外装カバーの環状体取付部に係着又は掛着した状態の説明図である。
【図１１】折り返し重ねた鞄用ベルトを把持部とともに外装カバーで被包した状態を示す説明図である。
【図１２】鞄用ベルトを長い状態で使用するときに風呂敷状のシート（図で点線で記載している。）で覆ったときの状態を示す概要図である。
【図１３】風呂敷状のシートの概要図である。
【図１４】長い状態の鞄用ベルトと風呂敷状のシートとを組み合せた使用状態を示す概要図である。
【図１５】短い状態の鞄用ベルトと風呂敷状のシートとを組み合せた使用状態を示す概要図である。
【図１６】鞄本体のみをベルト通しに吊着して使用するときの鞄本体を示す概要図である。
【図１７】鞄用ベルトの長さ調整を示す図であって、（ａ）は鞄用ベルトを折り返して重ねて外装カバーで被包した状態を示した図で、（ｂ）は移動カンが鞄用ベルトの中間位置にある場合の状態を示した図で、（ｃ）は移動カンを鞄用ベルトの端部に移動させて鞄用ベルトを最も長くした状態を示す図である。
【発明を実施するための形態】
【００３０】
本発明を図１乃至図１７で説明する。本発明である鞄用ベルト１は、ベルト３の中央部を被包する表皮１２を縫着して把持部１１を形成し、前記ベルト３の両端部を前記中央部には重ならないようにそれぞれ折り返して、重ね合せたベルト３の先端部をさらに折り返して縫着して形成した小環形部１３に、ベルト３の折り返し部の長さを調節可能とする移動カン２０を装着するとともに中間環状体２１を回動可能に装着し、移動カン２０装着により前記ベルト３の両端部にできた大環形部１４には鞄接続用環状体２２をそれぞれ回動可能に装着し、前記ベルト３の把持部１１の両端部に外装カバー用留め具２５を縫着している。
【００３１】
また、本発明である鞄２は、外装カバーを含む鞄用ベルト１、並びに、上部両端に突設させて縫着した断面逆Ｕ字型の取付部２３及び前記取付部２３に回動可能に装着させたナスカン２４を備えた鞄本体４、及び／又は、風呂敷状のシート１０とからなる。
【００３２】
次に、本発明である鞄用ベルト１及びその鞄用ベルト１を備えた鞄２の構成要素について説明する。
【００３３】
鞄用ベルト１について説明する。鞄用ベルト１の構成は、図１又は図２に示すように、ベルト３と、中央部に設けた把持部１１と、左右両端部の大環形部１４にそれぞれ回動可能に装着した鞄接続用環状体２２と、長手方向である左右方向の中間部の小環形部１３に装着した移動カン２０及び中間環状体２１とからなる。
【００３４】
前記把持部１１は、図１におけるＡ−Ａ断面を表す図３に示すように、ベルト３と、ベルト３を被包する表皮１２と、前記表皮１２の外側近傍に縫着された外装カバー用留め具２５とからなる。前記外装カバー用留め具２５は、ホック、面ファスナー、線ファスナー、ボタン、紐、ベルト等の係着又は掛着できる物であればよい。
【００３５】
ベルト３の材質は、デニムや帆布などの布、皮、合成繊維、合成ゴム、又はアラミド繊維を含んだ繊維などの可撓性を有する材質から縫製されている。アラミド繊維は、全芳香族ポリアミドのことで耐破断強度、耐疲労性、寸法安定性、引張強さ、強靭性、耐熱性、耐化学薬品性において従来の繊維に比較してはるかに高い性能を有し、クレーンのワイヤーの代替品として使用されている。鞄用ベルト１に、アラミド繊維を含有させた場合には、ナイフやハサミ等で容易には切断されないという効果を有する。したがって、図４に示すように、鞄用ベルト１とカギ３０とを使用すれば、スーツケース等の大きな鞄と建物や電車などに備えられた固定物とを鞄用ベルト１で通してカギ３０をかけておけば、鞄用ベルト１が切断されないので盗難に遭いにくいという効果がある。
【００３６】
前記表皮１２は、ベルト３よりも幅広で平面状の形態を有し、クッション性を具備して可撓性を有する材質からなる。これにより、肩にかける場合には広い範囲で肩に当接するので肩が痛くなりにくく、鞄２を手に持つ場合には表皮１２を手で握れば容易に平面状の表皮１２が丸まって把持部１１を握りやすく持ちやすくすることができる。
【００３７】
表皮１２の材質としては、布、皮、合成繊維、合成ゴム等の可撓性を有する材質であり、布であればデニムや帆布などの種々の布を使用する。前記表皮１２の表面の模様や、前記表皮１２のコーティング等の表面処理によって、ファッショナブルな把持部１１を創り出すことができる。
【００３８】
前記外装カバー用留め具２５は、鞄用ベルト１の把持部１１を被包する外装カバー５を係着又は掛着するためのものであり、鞄用ベルト１に縫着させた外装カバー用留め具２５と外装カバー５に縫着させた鞄用ベルト用留め具２９とで、鞄用ベルト１に外装カバー５を係着又は掛着する。
【００３９】
鞄用ベルト１と鞄本体４とを組み合わせれば、図５に示すように、ポシェットとして使用することができ、鞄用ベルト１の片側の略中間部に形成した小環形部１３に装着した移動カン２０を操作することによって、鞄本体４の位置を腰に対して高めにするか低めにするか、使用者の好みに合わせて鞄用ベルト１の長さを長くしたり短くしたり調整することができる。
【００４０】
また、図１２に示すように、前記小環形部１３に装着した中間環状体２１には、風呂敷状のシート１０の角部を結びつけることができ、この場合には高級ブランド品の包装袋を隠すことができるので、高級ブランド品に対するスリによる盗難の危険性が低下するという効果があり、バック・イン・バックとして鞄２内に収納された貴重品を二重に守るという効果がある。また、中間環状体２１にハンカチ、スカーフ又は携帯電話等を吊着することによって、自分の好みの形態で使用することができる。
【００４１】
次に、鞄用ベルト１は折り畳んで全体の長さを短くし、その折りたたんだ範囲を外装カバー５で被包することができる。その方法を説明する。
【００４２】
まず、図７又は図８に示す外装カバー５を説明する。外装カバー５は、平面状の可撓性を有するシートであって、鞄用ベルト１を折りたたんだ後の把持部１１全体を被包する大きさを有し、材質が、布、皮、合成繊維、合成ゴム等の可撓性を有する材質であり、布であればデニムや帆布などが含まれる。
【００４３】
そして、外装カバー５には縦方向の中央部で両端部には鞄用ベルト用留め具２９を縫着しており、前記鞄用ベルト用留め具２９を、鞄用ベルト１の把持部１１の表皮１２の両側外側に表皮１２に近接させて縫着させた外装カバー用留め具２５に係着又は掛着させることによって、鞄用ベルト１と外装カバー５とを固定させることができる。鞄用ベルト用留め具２９としては、ホック、面ファスナー、線ファスナー、ボタン、紐、ベルト等の係着又は掛着できる物が考えられいずれでもよい。
【００４４】
また、外装カバー５には鞄接続用環状体２２を拘束する鞄接続用環状体拘束手段２８を備えており、この鞄接続用環状体拘束手段２８に鞄用ベルト１に装着した鞄接続用環状体２２を拘束することによって、折りたたんだ鞄用ベルト１を外装カバー５からはみ出さないようにすることができる。鞄接続用環状体拘束手段２８は、図８及び図９に示すような紐状の形態のものでホック使用のもの、紐状の形態のもので面ファスナー使用のもの、紐で結びつけるもの又は鍵フックで引っ掛けるもの等が考えられるがいずれでもよい。
【００４５】
そして、外装カバー５の上下端部には外装カバー５を筒状に丸めたときに筒状態が崩れて開くのを防ぐために筒状維持用留め具２６を縫着している。図７乃至図１０には筒状維持用留め具２６として、ホックが記載されているが、ホック、面ファスナー、線ファスナー、ボタン、紐、ベルト等の係着又は掛着できる物であればいずれでもよい。
【００４６】
まず、図９に示すように、裏面を上にして拡げた状態で置いた外装カバー５の上に、移動カン２０及び中間環状体２１が把持部１１の近傍に位置するように移動カン２０を調整させた鞄用ベルト１を横方向に伸ばして載置し、縦方向の中央部で両端部に縫着した鞄用ベルト用留め具２９と、鞄用ベルト１の把持部１１の表皮１２の両側外側に表皮１２に近接させて縫着させた外装カバー用留め具２５と係着又は掛着させて外装カバー５と鞄用ベルト１とを固定する。
【００４７】
次に、図１０に示すように、鞄用ベルト１の片側を移動カン２０及び中間環状体２１のところで折り返し、鞄用ベルト１の先端部である鞄接続用環状体２２を外装カバー５に取り付けられた鞄接続用環状体拘束手段２８に係着又は掛着する。鞄接続用環状体拘束手段２８が、例えば図１０に示すような紐状の布にホックを縫着させた長方形状の紐である場合には、前記紐を鞄接続用環状体２２の輪の中を通してホック等の鞄接続用環状体拘束手段２８で係着又は掛着させている。
【００４８】
鞄用ベルト１の反対側も同じように折り返して鞄接続用環状体２２を係着又は掛着させる。
【００４９】
次に、図１１に示すように、外装カバー５で折り返した鞄用ベルト１及び把持部１１を一括りにして被包して、外装カバー５の上下両端部の筒状維持用留め具２６で係着又は掛着して外装カバー５が開かないようにして、折り返した鞄用ベルト１及び把持部１１を一体化した把持部１１を作り出す。
【００５０】
次に、鞄用ベルト１を折りたたんで外装カバー５で被包した場合には、図６に示すように、ショルダーバッグ又は手提げバックとして使用することができ、このときには、中間環状体２１は、鞄本体４のナスカン２４との接続部位としての機能を有する。この中間環状体２１を設けることによって、鞄用ベルト１の長さの調整をする場合に、従来は移動カン２０のみによる長さの調整しかできなかったが、本発明の鞄用ベルト１では前記移動カン２０による長さ調整に加えて鞄用ベルト１自体を折り返して全体の長さを大幅に短縮することができるようになった。これは、鞄用ベルト１自体を折り返した場合には従来の鞄用ベルト１端部に装着していた鞄接続用環状体２２が使用できなくなり鞄本体４のナスカン２４に鞄１を係着又は掛着させることができないが、本発明では鞄用ベルト１を折り返した場合には新たに設けた中間環状体２１を鞄本体４のナスカン２４と接続させることができることによって初めて実現できた。これによって、一本の鞄用ベルト１を鞄用ベルトが長いポシェット用と、鞄用ベルトが短いショルダーバッグ用や手提げバッグ用に、長さを自由に変えられるようになり一つの鞄用ベルト１を使用した鞄の用途を拡げることができた。
【００５１】
図１３に示すように、風呂敷状のシート１０は、四角形状を有しており、布、皮、合成繊維、合成ゴム等の可撓性を有する材質からなり、布であればデニムや帆布などの種々の布から縫製する。
【００５２】
鞄用ベルト１と風呂敷状のシート１０とを組み合せば、図１４に示すように、たすき掛けできるバックとして使用することができる。風呂敷状のシート１０であるので、使用しないときは小さくすることができ、大物を収納しなければならないときに風呂敷状のシート１０を拡げて結びつければよい。重たい荷物をたすき掛けすることにより身体全体で荷物を保持でき、身体にかかる負担を軽減できる。さらに、両手が空くため運動機能を確保できる。
【００５３】
また、長さを短くした鞄用ベルト１と風呂敷状のシート１０とを組み合せば、図１５に示すように、ショッピングバッグ等として使用することができる。
【００５４】
次ぎに、鞄本体４について説明する。鞄本体４の上部両端に断面逆Ｕ字型のナスカン取付部２３を縫着し、前記ナスカン取付部２３に回動可能にナスカン２４を装着している。鞄本体４側にナスカン２４を備えていることにより、図１６に示すように、鞄本体４から鞄用ベルト１を取り外した後に、鞄本体４のみをズボン、パンツ、スカート等のベルト通しに引っ掛けるウエストポーチとして使用することができる。
【００５５】
鞄本体４の大きさとしては、縦約１０ｃｍで横約２７ｃｍが望ましい。この大きさであると、腹部に吊り下げるウエストポーチとして使用する場合にズボンなどのベルト通しに鞄本体４に装着したナスカン２４を引っ掛けやすい大きさであり、貴重品を収納するのに適した大きさであり、鞄用ベルト１、外装カバー５及び風呂敷状のシート１０等をコンパクトに収納するのに適した大きさであるからである。
【００５６】
図１７に本発明である鞄用ベルト１の３つの状態を示している。（ａ）が鞄用ベルト１を折り返して重ねて外装カバー５で被包した状態を示した図で、前記（ａ）に示した鞄用ベルト１に鞄本体４を取り付ければショルダーバッグ又は手提げバッグとして使用でき、前記鞄用ベルト１に風呂敷状のシート１０を結びつけばショッピングバッグとして使用できる。
【００５７】
図１７（ｂ）は、移動カン２０が鞄用ベルト１の中間位置にある場合の状態を示した図で、前記（ｂ）に示した鞄用ベルト１のみでスーツケースなどの大型鞄の盗難防止用ベルトとして使用でき、又はポシェットなどの鞄として使用することができる。
【００５８】
図１７（ｃ）は、移動カン２０を鞄用ベルト１の端部に移動させて鞄用ベルト１を最も長くした状態を示す図で、カバン用としてではなく、鞄用ベルト１のみでスーツケースなどの大型鞄の盗難防止用ベルトとして使用できる。
【符号の説明】
【００５９】
１      鞄用ベルト
２      鞄
３      ベルト
４      鞄本体
５      外装カバー
１０    風呂敷状のシート
１１    把持部
１２    表皮
１３    小環形部
１４    大環形部
２０    移動カン
２１    中間環状体
２２    鞄接続用環状体
２３    取付部
２４    ナスカン
２５    外装カバー用留め具
２６    筒状維持用留め具
２８    拘束手段
２９    鞄用ベルト用留め具
３０    カギ
【要約】
【課題】盗難に遭いにくく、ポシェット、ショルダーバック、ウエストポーチなどの用途に容易に変えられる鞄用ベルト及びその鞄用ベルトを備えた鞄を提供することである。
【解決手段】ベルトの中央部を被包する表皮を縫着して把持部を形成し、前記ベルトの両端部を前記中央部には重ならないようにそれぞれ折り返して、重ね合せたベルトの先端部をさらに折り返して縫着して形成した小環形部に、ベルトの折り返し部の長さを調節可能とする移動カンを装着するとともに中間環状体を回動可能に装着し、移動カン装着により前記ベルトの両端部にできた大環形部には鞄接続用環状体をそれぞれ回動可能に装着し、前記ベルトの把持部の両端部にカバー用留め具を縫着した鞄用ベルトと、把持部を被包する外装カバーと、鞄本体と、風呂敷状のシートとからなる鞄によって課題を実現できた。
【選択図】  図１【図１】
0005229676.tif 000002
【図２】
0005229676.tif 000003
【図３】
0005229676.tif 000004
【図４】
0005229676.tif 000005
【図５】
0005229676.tif 000006
【図６】
0005229676.tif 000007
【図７】
0005229676.tif 000008
【図８】
0005229676.tif 000009
【図９】
0005229676.tif 000010
【図１０】
0005229676.tif 000011
【図１１】
0005229676.tif 000012
【図１２】
0005229676.tif 000013
【図１３】
0005229676.tif 000014
【図１４】
0005229676.tif 000015
【図１５】
0005229676.tif 000016
【図１６】
0005229676.tif 000017
【図１７】
0005229676.tif 000018